(57)【要約】【課題】アーチワイヤーの保持および歯の間の空間閉鎖の双方を同時に行うことのできる歯列矯正用結紮用具を提案すること。【解決手段】歯列矯正用結紮用具２０は、連結板２２（１）を介して繋がっている蓋板２１（１）、２１（２）を備え、各蓋板によって各歯列矯正用ブラケット１（１）、１（２）のアーチワイヤースロット４内にアーチワイヤー１０が保持される。各蓋板２１は歯列矯正用ブラケット１（１）、１（２）のタイウイング５、６に掛止され、その長さ方向への移動が拘束された状態で各歯列矯正用ブラケットに取り付けられる。歯列矯正用ブラケットの間隔が広く、歯３１、３２の間を詰める必要がある場合には、蓋板２１の間を連結している連結板２２がその長さ方向に伸長した状態で、歯列矯正用ブラケットに架け渡される。連結板の弾性復帰力が歯の間の空隙封鎖用の力として歯列矯正用ブラケットに加わる。【選択図】図２
2012080969.tif 000002
【特許請求の範囲】
【請求項１】
アーチワイヤースロットの幅方向の両側に一対のタイウイングがそれぞれ形成されている歯列矯正用ブラケットにおける前記アーチワイヤースロットに通したアーチワイヤーが当該アーチワイヤースロットから外れないように保持すると共に、前記歯列矯正用ブラケットに対してアーチワイヤースロットの長さ方向に沿った方向に引張り力を加えるために用いる伸縮性の弾性素材からなる歯列矯正用結紮用具であって、
当該歯列矯正用結紮用具の長さ方向に沿って一定の間隔で配置されているアーチワイヤースロット封鎖用の蓋板と、
各蓋板の間を繋ぐ連結板とを有し、
各蓋板は、当該蓋板における前記長さ方向に直交する幅方向の両側縁から延びている腕部分と、各腕部分の先端に形成されている前記長さ方向に延びるフック部分とを備えており、
各蓋板をアーチワイヤースロットの開口を封鎖するように各歯列矯正用ブラケットの表面に配置し、両側の腕部分を各一対のタイウイングの間の溝に通し、それらの先端のフック部分を各一対のタイウイングの背面側に掛止することにより、各蓋板を各歯列矯正用ブラケットに固定可能であり、
各連結板の伸長量に応じた引張力が各歯列矯正用ブラケットに作用することを特徴とする歯列矯正用結紮用具。
【発明の詳細な説明】
【技術分野】
【０００１】
本発明は歯列矯正治療に用いられるアーチワイヤーを歯列矯正用ブラケットに結紮するための結紮線あるいはゴムリングの代わりに用いることのできる歯列矯正用結紮用具に関する。
【背景技術】
【０００２】
通常、矯正歯科治療を行う際には、歯に歯列矯正用ブラケットと呼ばれる金具を接着し、そこにアーチワイヤーを結紮し、当該アーチワイヤーの力で歯の移動を行う。この金具にアーチワイヤーを結紮するために、通常は、リガチャーワイヤーと呼ばれる細い結紮線あるいはリングレットと呼ばれる小さいゴムリングが用いられる。この結紮作業は時間が掛かり、熟練を要し、また結紮が不完全であると、十分な矯正力が発現されず、歯の移動に支障をきたす。また、結紮線、ゴムリングを用いた結紮では、金具とアーチワイヤーの間の摩擦が大きくなり、歯の移動を阻害するという報告が多い。
【０００３】
そこで、最近では、結紮線やゴムリングの代わりに、フタあるいはキャップを用いてアーチワイヤーを歯列矯正用ブラケットのアーチワイヤースロットに装着する方法が提案されている。特許文献１（特開２００７−５００３０号公報）には、歯列矯正用のブラケットの近遠心方向に沿って形成されたアーチワイヤースロットに収容されるアーチワイヤーを保持するために、アーチワイヤースロットを覆う歯列矯正用キャップが提案されている。特許文献２（特開２００８−６１８０５号公報）には、歯に接合される基台部と、ここに形成したワイヤー挿入溝を閉塞してワイヤーを保持する閉塞板とを備えた歯列矯正用金具が提案されている。
【先行技術文献】
【特許文献】
【０００４】
【特許文献１】特開２００７−５００３０号公報
【特許文献２】特開２００８−６１８０５号公報
【発明の概要】
【発明が解決しようとする課題】
【０００５】
ここで、矯正歯科治療において、歯の間に空隙が認められる場合、エラスティックチェーンと呼ばれるゴム製のチェーンを用いて空隙閉鎖が行われる。上記の特許文献１等に記載されているアーチワイヤーをキャップあるいは閉塞板で保持する方法では、空隙を閉鎖することは出来ないため、空隙閉鎖の際にはゴム製のチェーンが併用されるが、チェーンを装着することによりアーチワイヤーと歯列矯正用ブラケット間の摩擦が大きくなり、これが空隙閉鎖を遅らせる原因となる。
【０００６】
特許文献２においては、歯列矯正用金具の基台部に、ワイヤー保持用の閉塞板の係合溝と共にチェーンを架けるためのチェーン用凹部を形成し、ここにゴム製チェーンを架けるようにしている。これにより、基台部に装着したゴム製チェーンと、基台部に装着したワイヤーとが接触しないので、これらの接触によりワイヤーの変位が抑制されて矯正が阻害されてしまうことを防止している（当該文献の段落００４８〜００５０、図９〜図１１）。
【０００７】
しかしながら、特許文献２に記載の歯列矯正用金具では、その基台部にワイヤー保持用の閉塞板を取り付けるための係合溝と、チェーン装着用の凹部を形成する必要があり、歯列矯正用金具の形状が複雑化するという問題点がある。また、ワイヤー保持のために閉塞板および空間閉鎖用のゴム製チェーンの双方を取り付ける必要があるので作業性が悪いという問題点および部品点数が多くなるという問題点がある。
【０００８】
本発明の課題は、このような点に鑑みて、アーチワイヤーの保持および歯の間の空間閉鎖の双方を同時に行うことのできる歯列矯正用結紮用具を提案することにある。
【課題を解決するための手段】
【０００９】
上記の課題を解決するために、本発明は、アーチワイヤースロットの幅方向の両側に一対のタイウイングがそれぞれ形成されている歯列矯正用ブラケットにおける前記アーチワイヤースロットに通したアーチワイヤーが、当該アーチワイヤースロットから外れないように保持すると共に、前記歯列矯正用ブラケットに対してアーチワイヤースロットの長さ方向に沿った方向に引張り力を加えるために用いる伸縮性の弾性素材からなる結紮用具であって、
当該歯列矯正用結紮用具の長さ方向に沿って一定の間隔で配置されているアーチワイヤースロット封鎖用の蓋板と、
各蓋板の間を繋ぐ連結板とを有し、
各蓋板は、当該蓋板における前記長さ方向に直交する幅方向の両側縁から延びている腕部分と、各腕部分の先端に形成されている前記長さ方向に延びるフック部分とを備えており、
各蓋板をアーチワイヤースロットの開口を封鎖するように各歯列矯正用ブラケットの表面に配置し、両側の腕部分を各一対のタイウイングの間の溝に通し、それらの先端のフック部分を各一対のタイウイングの背面側に掛止することにより、各蓋板を各歯列矯正用ブラケットに固定可能であり、
各連結板の伸長量に応じた引張力が各歯列矯正用ブラケットに作用することを特徴としている。
【００１０】
本発明の歯列矯正用結紮用具は、連結板を介して繋がっている蓋板を備えており、各蓋板によって各歯列矯正用ブラケットのアーチワイヤースロット内にアーチワイヤーが保持される。また、各蓋板は歯列矯正用ブラケットのタイウイングに掛止され、その長さ方向（アーチワイヤースロットの長さ方向）への移動が拘束された状態で各歯列矯正用ブラケットに取り付けられる。したがって、歯と歯の間に空隙が存在する場合など歯列矯正用ブラケットの間隔が広い場合、すなわち、これらの歯列矯正用ブラケットが固着された歯の間を詰める必要がある場合には、蓋板の間を連結している連結板がその長さ方向に伸長した状態で、歯列矯正用ブラケットに架け渡される。よって、連結板の弾性復帰力が歯の間の空隙封鎖用の力として歯列矯正用ブラケットに加わる。歯列矯正用結紮用具の素材をポリウレタンなどのある程度の硬さを有し、伸縮性のある素材から形成しておけば、必要とされる空隙封鎖用の力を得ることができ、蓋板とアーチワイヤーとの間の摩擦抵抗も十分に低くできるので、これらの間の摩擦力によって歯列矯正が阻害されることもない。
【発明の効果】
【００１１】
本発明によれば、歯列矯正用結紮用具の各蓋板を用いて、アーチワイヤーを各歯列矯正用ブラケットのアーチワイヤースロット内に保持することができ、各連結板が伸長することによって歯列矯正用ブラケットに作用する引張力を歯の間の空隙封鎖用の力として利用することができる。したがって、従来においては別個の部材を用いて行っていたアーチワイヤー保持と歯の間の空隙封鎖を単一の部材を用いて行うことができる。よって、本発明の歯列矯正用結紮用具を用いれば、歯列矯正治療を効率良く行うことができる。
【図面の簡単な説明】
【００１２】
【図１】（ａ）は歯列矯正用ブラケットを示す説明であり、（ｂ）は本発明による歯列矯正用結紮用具の一例を示す説明図である。
【図２】（ａ）は図１の歯列矯正用結紮用具の使用状態を示す説明図であり、（ｂ）はその一部を拡大して示す説明図である。
【発明を実施するための形態】
【００１３】
以下に、図面を参照して本発明の実施の形態を説明する。図１（ａ）に示すように、歯列矯正用ブラケット１は、矯正対象の歯における舌側あるいは唇側の歯面に接着材を用いて固着される平板状のベース部２と、ベース部２の表面側に一体形成されているブラケット本体部３とを備えている。ブラケット本体部３の中央には、左右方向（近遠心方向）に延びるアーチワイヤースロット４が形成されている。アーチワイヤースロット４は例えば一定幅で一定深さの矩形断面のスロットであり、ブラケット本体部３の凸円弧状の表面３ａに開口しており、水平方向からアーチワイヤー１０を装着可能である。
【００１４】
ブラケット本体部３におけるアーチワイヤースロット４の上下方向の両側の部分は、ベース部２と所定の間隔をあけて上下方向に突出した一定厚さのタイウイング５、６となっている。本例では、アーチワイヤースロット４の長さ方向の中央部分に、当該アーチワイヤースロット４に直交する方向に延びる一定幅の縦溝７が形成されており、この縦溝７によって両側のタイウイング５、６が左右に分離された一対のタイウイング片５ａ、５ｂ、６ａ、６ｂとなっている。
【００１５】
図１（ｂ）に示すように、本実施の形態における歯列矯正用結紮用具２０は、歯列矯正用ブラケット１のアーチワイヤースロット４に通したアーチワイヤー１０が、当該アーチワイヤースロット４から外れないように保持すると共に、歯列矯正用ブラケット１に対してアーチワイヤースロット４の長さ方向に沿って引張り力を加えるために用いる伸縮性の弾性素材からなる結紮用具である。
【００１６】
歯列矯正用結紮用具２０は、その結紮用具長さ方向に沿って一定の間隔で配置されているアーチワイヤースロット封鎖用の蓋板２１と、各蓋板２１の間を繋ぐ連結板２２から構成されている。各蓋板２１は、角を丸くした横長の矩形形状をした一定厚さの蓋板本体部分２３を備えており、この蓋板本体部分２３における結紮用具長さ方向に直交する幅方向の両側縁の中央部分からは、蓋板本体部分２３よりも狭い幅で一定厚さの腕板部分２４、２５が上下方向に延びている。これらの腕板部分２４、２５の先端縁には、結紮用具長さ方向に延びる円柱状のフック２６、２７が一体形成されており、これらのフック２６、２７は蓋板本体部分２３とほぼ同一の長さのものである。この構成の蓋板２１の両側の端縁中央に繋がっている連結板２２は、蓋板本体部分２３よりも狭い幅の板である。
【００１７】
ここで、各蓋板２１の蓋板本体部分２３は、歯列矯正用ブラケット１のブラケット本体部３の凸円弧状の表面３ａに対応する凸円弧状に湾曲しており、そこに形成されているアーチワイヤースロット４の開口部を覆い隠すことのできる大きさのものである。また、蓋板本体部分２３から上下に延びている腕板部分２４、２５は、上側の一対のタイウイング片５ａ、５ｂの間、および下側の一対のタイウイング片６ａ、６ｂの間の縦溝７に通すことのできる幅寸法を備えている。さらに、これらの腕板部分２４、２５を上下に引き伸ばして、それらの先に形成されているフック２６、２７を上側の一対のタイウイング片５ａ、５ｂの背面側、および、下側の一対のタイウイング片６ａ、６ｂの背面側に、上下から掛止することが可能となっている。
【００１８】
図２を参照して歯列矯正用結紮用具の使用状態を説明する。矯正対象の歯、例えば、歯３１、３２の舌側の歯面３１ａ、３２ａにはそれぞれ歯列矯正用ブラケット１（１）、１（２）が固着されている。これらの歯列矯正用ブラケット１のアーチワイヤースロット４にはアーチワイヤー１０が通されている。また、各歯列矯正用ブラケット１（１）、１（２）には歯列矯正用結紮用具２０が架け渡されている。歯列矯正用結紮用具２０の蓋板２１（１）が歯列矯正用ブラケット１（１）の表面に固定され、蓋板２１（２）が歯列矯正用ブラケット１（２）の表面に固定されている。
【００１９】
これらの蓋板２１（１）、２１（２）によって、各歯列矯正用ブラケット１（１）、１（２）においては、アーチワイヤースロット４からアーチワイヤー１０が外れないように保持されている。また、隙間のある歯３１、３２の間に位置する歯列矯正用結紮用具２０の連結板２２（１）は、その初期長さよりも引き伸ばされた状態で両側の蓋板２１（１）、２１（２）が歯列矯正用ブラケット１（１）、１（２）に固定されている。したがって、連結板２２（１）の弾性復帰力が、歯列矯正用ブラケット１（１）、１（２）を相互に接近させる方向の引張力として加わっており、この引張力が、歯３１、３２の空隙閉鎖用の力として作用している。
【００２０】
このように、本実施の形態の歯列矯正用結紮用具２０は、アーチワイヤー１０をアーチワイヤースロット４から外れないように保持するための部材として機能すると共に、歯の間の空隙封鎖用の部材としても機能する。したがって、従来のように双方の部材を取り付ける必要がないので矯正歯科治療を効率良く行うことができる。また、歯列矯正用結紮用具２０はポリウレタンなどのある程度の硬さを有し、伸縮性のある素材から形成されているので、必要とされる空隙封鎖用の力を得ることができ、蓋板本体部分２３とアーチワイヤー１０との間の摩擦抵抗も十分に低くできるので、これらの間の摩擦力によって歯列矯正が阻害されることもない。
【符号の説明】
【００２１】
１    歯列矯正用ブラケット
２    ベース部
３    ブラケット本体部
３ａ  表面
４    アーチワイヤースロット
５、６  タイウイング
５ａ、５ｂ、６ａ、６ｂ  タイウイング片
７    縦溝
１０  アーチワイヤー
２０  歯列矯正用結紮用具
２１、２１（１）、２１（２）  蓋板
２２、２２（１）  連結板
２３  蓋板本体部分
２４、２５  腕板部分
２６、２７  フック
３１、３２  歯
３１ａ、３２ａ  歯面
【図１】
2012080969.tif 000003
【図２】
2012080969.tif 000004